(57)【要約】【課題】  砂地海底に打ち込むことで、強力な固定力を得ることができ、さらに使用後に海底面に遺物を残さないアンカー（錨）を提供することを課題とする。【解決手段】  本考案の打込み型アンカー１００は、所定の長さを有する金属性パイプからなるアンカー本体１の上端部近傍に溶接で固定された繋留用円環２を備え、本体１の下端部を中心に前後左右に拡がる２対４枚の錨翼板を備え、１対の錨翼板１０ａ、１０ｂは、錨翼把持プレート４ａ、４ｂに貫通する錨翼軸６ａ、６ｂにより開閉自在に支持され、もう１対の錨翼板１０ｃ、１０ｄは、錨翼把持プレート４ａ、４ｂに直交するように設けられた錨翼把持プレート４ｃ、４ｄに錨翼軸６ｃ、６ｄにより開閉自在に支持され、アンカー本体１の下端部を中心に前後左右に拡がることを特徴とする。【選択図】  図１
0003124277.tif 000002
【実用新案登録請求の範囲】
【請求項１】
砂地海底に打ち込まれて繋留索を連結するアンカーであって、
金属パイプからなるアンカー本体と、アンカー本体の中心軸に平行に畳まれた状態で打ち込まれ海底砂地中でアンカー本体の下端部を中心に前後左右に拡がる２対４枚の錨翼板と、を備えていることを特徴とする打込み型アンカー。
【請求項２】
前記アンカー本体は、上端部に繋留用円環を備え、下端部に、前記錨翼板を開閉自在に支持する錨翼把持プレートと、アンカー本体の先端方向に延出された棒爪とを備えていることを特徴とする請求項１記載の打込み型アンカー。
【請求項３】
前記錨翼板は、底板と、その左右に直立した側板によりＵ字形に形成され、該一方端の側板に穿設された軸孔に貫通された錨翼軸で開閉自在に前記錨翼把持プレートに取り付けられ、他方端の底板には翼先プレートが設けられていることを特徴とする請求項１記載の打ち込み型アンカー。
【考案の詳細な説明】
【技術分野】
【０００１】
本考案は、養殖施設・定置網・海洋構造物などを繋留するため海底砂地に伏設する打込み型アンカーに関する。
【背景技術】
【０００２】
従来、養殖施設・定置網・海洋構造物の繋留には、合成繊維製の土嚢がアンカーとして使用されてきた。しかし、定置網などを所望の固定力で係止するためには多数の土嚢袋を製作して海底に投入する必要があり、小型の砂袋に海岸の砂を採取して詰める作業とその運搬が膨大な作業量となる問題があった。
【０００３】
また、合成繊維性の土嚢袋が、定置網などの撤去後も海草や藻が付着しないまま腐食せずに海底に永く残るため、漁場の荒廃を招く問題があった。
【０００４】
これらの解決策として、特許文献１の漁業用溶融メッキ金網製土俵袋が提案されている。この発明は、全体を金網で構成した大きな方型土饅頭型の袋体に海底周辺の砂をポンプで吸い上げて袋体に充填して碇とするもので、袋体に設けられた繋留用円環および支持体に繋留索を取り付けて定置網などを繋留するものであった。
【０００５】
この発明によれば、金網が海草などの付着を促し、漁礁となる効果があり、錨としての用途が終了しても、砂に埋没し、長い年月では海水に溶解して自然に取り込まれる効果を呈する。しかし、所望の固定力を備えた錨とするには、金網が大型となり、また用済み後に元の砂地海底に戻すまでには長期間かかる問題があった。
【０００６】
また、海底に露出する従来の海底錨においては、底引き網などが掛る損壊事故が多発していた。
【０００７】
【特許文献１】特開平７−２４６０４２号公報（第２、３頁、第１図）
【考案の開示】
【考案が解決しようとする課題】
【０００８】
本考案は、前述の問題に鑑みてなされたもので、砂地海底に打ち込むことで、強力な固定力を得ることができ、さらに使用後に海底面に遺物を残さないアンカー（錨）を提供することを課題とする。
【課題を解決するための手段】
【０００９】
前記課題を解決するため、本考案の打込み型アンカーは、砂地海底に打ち込まれて繋留索を連結するアンカーであって、
金属パイプからなるアンカー本体と、アンカー本体の中心軸に平行に畳まれた状態で打ち込まれ海底砂地中でアンカー本体の下端部を中心に前後左右に拡がる２対４枚の錨翼板と、を備えていることを特徴とする。
【００１０】
また、前記アンカー本体は、上端部に繋留用円環を備え、下端部に、前記錨翼板を開閉自在に支持する錨翼把持プレートと、アンカー本体の先端方向に延出された棒爪とを備えていることを特徴とする。
【００１１】
前記錨翼板は、底板と、その左右に直立した側板によりＵ字形に形成され、該一方端の側板に穿設された軸孔に貫通された錨翼軸で開閉自在に前記錨翼把持プレートに取り付けられ、他方端の底板には翼先プレートが設けられていることを特徴とする。
【考案の効果】
【００１２】
本考案によれば、海底砂地中に開いた４枚の錨翼板により強力な固定力を得ることができる。また、錨翼板がアンカー本体に折りたたまれた状態で打ち込まれるため、打ち込み現場までの運搬ならびに海底打ち込みが容易である。
【００１３】
また、撤去時は、海底面で繋留ロープを切断すれば、砂地海底面に遺物を残すことがない。
【考案を実施するための最良の形態】
【００１４】
以下、本考案の打込み型アンカーの実施の形態を図面を参照して詳細に説明する。図１は、本考案の打込み型アンカーの斜視図である。
【００１５】
本考案の打込み型アンカー１００は、所定の長さを有する金属性パイプからなるアンカー本体１の上端部近傍に溶接で固定された繋留用円環２を備え、アンカー本体１の下端部を中心に前後左右に拡がる２対４枚の錨翼板１０ａ、１０ｂ、１０ｃ、１０ｄを備えている。
【００１６】
１対の錨翼板１０ａ、１０ｂは、錨翼把持プレート４ａ、４ｂに貫通する錨翼軸６ａ、６ｂにより開閉自在に支持され、もう１対の錨翼板１０ｃ、１０ｄは、錨翼把持プレート４ａ、４ｂに直交するように設けられた錨翼把持プレート４ｃ、４ｄに錨翼軸６ｃ、６ｄにより開閉自在に支持され、アンカー本体１のパイプ軸に並行に折りたたみ可能に取り付けられている。
【００１７】
錨翼把持プレート４ａ、４ｂは、アンカー本体１の左右に突設された支持板７、７に溶接固定され、アンカー本体１を挟むように平行に設けられ、その長手方向の両端には、錨翼受板５ａ、５ｂが溶接固定されている。
【００１８】
錨翼把持プレート４ｃ、４ｄは、錨翼把持プレート４ａ、４ｂの上部に直交するように、アンカー本体１の左右に突設された支持板７、７に溶接固定され、その長手方向の両端には、錨翼受板５ｃ、５ｄを溶接して設けられる。
【００１９】
錨翼受板５ａ、５ｂの端部は、錨翼板１０ａ、１０ｂが拡いたとき、水平から略３０度〜４０度の角度で上向きに止まるように錨翼板１０ａ、１０ｂを支える。同様に、錨翼受板５ｃ、５ｄの端部は、錨翼板１０ｃ、１０ｄが拡いたとき略３０度〜４０度の角度で上向きに止まるように錨翼板１０ａ、１０ｂを支える。
【００２０】
また、錨翼受板５ａ、５ｂの下端は、錨翼把持プレート４ａ、４ｂの下方向のアンカー本体１に溶接されている。これら錨翼受板５ａ、５ｂ、および５ｃ、５ｄは、打込みアンカー１００を砂地海底に打込む際に砂を掻き分ける働きをする。
【００２１】
錨翼把持プレート４ａ、４ｂの外側側面には、アンカー本体１の先端方向に向けてそれぞれ２本の棒爪３が溶接固定されている。棒爪３は、アンカー本体１の先端を海底砂地の低質の粘土層まで打ち込む場合、その粘土層を破壊する爪の役割をはたすものである。
【００２２】
錨翼板１０は、底板１１の左右に直立した側板１２を備え、側板１２に穿設された軸孔１２ａに貫通された錨翼軸６で開閉自在に前記錨翼把持プレート４に取り付けられ、底板１１の一方端には翼先プレート１３が設けられている
【００２３】
図２は、本考案の打込み型アンカーの正面図である。図１と同機能の部分は同じ符号を付して説明を省略する。
【００２４】
図２の打込み型アンカー１００は、錨翼板１０ａ、１０ｂ、１０ｃ、１０ｄがアンカー本体１の長手方向の軸と平行に折りたたまれ海底に打込まれる状態を示す。錨翼板１０ａ、１０ｂについては、その錨翼板１０ａ、１０ｂが海底砂地中で拡げられた状態を２点鎖線で示している。
【００２５】
図３は、本考案の打込み型アンカーの側面図である。図３は、打込み型アンカー１００が海底砂地中に伏設され錨翼板１０ａ、１０ｂ、１０ｃ、１０ｄが拡げられた状態を示す。
【００２６】
次に、本考案の打込み型アンカー１００の一実施例の仕様を説明する。アンカー本体１のパイプ径５０ミリ、長さ７７０ミリ、繋留用円環２を含めた全長９５０ミリとし、錨翼板１０ａ、１０ｂ（下翼）の長さ５００ミリ、幅１００ミリ、錨翼板１０ｃ、１０ｄ（上翼）の長さ４５０ミリ、幅１００ミリ、重量４３ｋｇとした場合、安全率３の固定力は１３．５トン（計算値４５トン）の性能を得ることができる。
【００２７】
本考案の打込み型アンカー１００は、漁船などで設置海域に運搬し、海底砂地に、圧縮空気あるいは高圧水ポンプなど任意の用具を用いて海底砂地に穴を掘り、その中に打ち込み、繋留用円環２に繋留索を結び、錨翼板を拓いた状態で海底砂地中に伏設する。
【００２８】
本考案の打込み型アンカー１００によれば、従来のブロックあるいは土俵、土嚢をしのぐ固定力を発揮させることができる。
【図面の簡単な説明】
【００２９】
【図１】本考案の打込み型アンカーの斜視図である。
【図２】本考案の打込み型アンカーの正面図である。
【図３】本考案の打込み型アンカーの側面図である。
【符号の説明】
【００３０】
１    アンカー本体
２    繋留用円環
３    棒爪
４    錨翼把持プレート
４ａ、４ｂ、４ｃ、４ｄ  錨翼把持プレート
５    錨翼受板
５ａ、５ｂ、５ｃ、５ｄ  錨翼受板
６    錨翼軸
６ａ、６ｂ、６ｃ、６ｄ  錨翼軸
７    支持板
１０    錨翼板
１０ａ、１０ｂ、１０ｃ、１０ｄ  錨翼板
１１    底板
１２    側板
１２ａ  軸穴
１３    翼先プレート
１００    打込み型アンカー
【図１】
0003124277.tif 000003
【図２】
0003124277.tif 000004
【図３】
0003124277.tif 000005